(57)【要約】【課題】  ユーザの嗜好を反映し且つ多くの人に対する広告効果を期待することができる広告表示システムを提供することを目的とする。【解決手段】  複数のユーザの嗜好情報を記憶しておき、ユーザの携帯端末Ｔから送信された位置情報と前記嗜好情報とから、特定の領域内に存在するユーザの嗜好分布情報を求め、この嗜好分布情報と広告データの嗜好条件情報とが一致する広告データを選択し、選択した広告データを所定の位置に設置されている広告表示装置に表示する。【選択図】        図１
2007102051.tif 000002
【特許請求の範囲】
【請求項１】
複数のユーザの嗜好に基づき所定の位置に設置されている広告表示装置に広告の表示を行う広告表示システムであって、
前記ユーザの嗜好を予め設定されたカテゴリ毎に分類した嗜好情報と、ユーザＩＤとを含む複数の嗜好データを予め記憶する嗜好データ記憶手段と、
前記広告表示装置に表示する広告情報と該広告情報に対応させた嗜好条件情報とを含む複数の広告データを予め記憶する広告データ記憶手段と、
前記ユーザの位置情報と該ユーザのユーザＩＤとを含む位置データを受信する位置データ受信手段と、
前記位置データ受信手段によって受信された位置データを記憶する位置データ記憶手段と、
予め設定された領域内のユーザの嗜好情報を選択するための位置領域情報と、前記位置データ記憶手段の位置データとに基づいて、定期的又は指定された時間毎に前記位置領域情報で指定された領域に含まれるユーザを特定するユーザ特定手段と、
前記ユーザ特定手段によって特定されたユーザのユーザＩＤと、前記嗜好データ記憶手段に記憶されている嗜好データとに基づいて、前記領域内のユーザの嗜好分布データを演算する嗜好分布演算手段と、
前記嗜好分布演算手段によって演算された嗜好分布データと、前記広告データ記憶手段に記憶されている広告データとに基づき、前記嗜好分布情報と前記嗜好条件情報とが一致する広告データを選択する広告データ選択手段と、
前記広告データ選択手段によって選択された広告を前記広告表示装置に表示する広告表示手段とをコンピュータに備えることを特徴とする広告表示システム。
【請求項２】
前記広告表示システムは、嗜好情報管理センタに備えられたコンピュータと、広告表示センタに備えられたコンピュータとが通信可能に構成され、
前記嗜好情報センタのコンピュータには、前記嗜好データ記憶手段と、前記位置データ受信手段と、前記位置データ記憶手段と、前記ユーザ特定手段と、前記嗜好分布演算手段とを備え、
前記広告表示センタのコンピュータには、前記広告データ記憶手段と、前記広告データ選択手段と、前記広告表示手段とを備えてなる請求項１記載の広告表示システム。
【請求項３】
前記広告表示センタのコンピュータには、定期的又は指定された時間に、前記位置領域情報を含む嗜好情報要求データを前記嗜好情報管理センタのコンピュータに送信する嗜好情報要求データ送信手段を備え、
前記嗜好分布演算手段は、前記嗜好情報要求データ送信手段によって送信された嗜好情報要求データに基づいて嗜好分布データを演算してなる請求項２記載の広告表示システム。
【請求項４】
前記広告データ選択手段は、前記嗜好分布データの嗜好比率が所定の比率より高いカテゴリと、前記嗜好条件情報のカテゴリとが一致する広告データを選択してなる請求項１〜３のいずれかに記載の広告表示システム。
【請求項５】
前記広告データ選択手段は、前記嗜好分布データの嗜好比率が最も高いカテゴリが、前記嗜好条件情報で指定されたカテゴリに含まれる広告データを選択してなる請求項１〜３のいずれかに記載の広告表示システム。
【請求項６】
前記位置データ受信手段は、ユーザが携帯する携帯端末から送信された位置データを受信する、又は、ユーザ識別装置が識別したユーザＩＤと該ユーザ識別装置の位置情報とからなる位置データを受信してなる請求項１〜５のいずれかに記載の広告表示システム。
【発明の詳細な説明】
【技術分野】
【０００１】
本願発明は、街頭等に設置されている広告表示装置にユーザの嗜好に沿った広告を表示する広告表示システムに関するものである。
【背景技術】
【０００２】
現在、販売促進を目的とし多くの広告表示がなされている。そして、効率的な宣伝ができるように多くの広告方法が考えられている。
例えば、予め記憶しておいた広告メッセージ、広告メッセージの配信を希望する広告配信エリア、広告配信時刻、配信対象等の情報と、ユーザの嗜好情報とをコンピュータに記憶しておき、ＧＰＳ機能付の携帯電話端末から位置情報と該携帯電話端末を特定するためのＩＤを受信し、前記広告配信時刻になると、広告配信時刻になると広告エリア内に位置し、且つ配信する広告に興味を示すようなユーザであるかを判断し、該当するユーザの携帯電話端末に広告メッセージを送信する広告情報の配信方法がある（例えば、特許文献１参照。）。
【０００３】
また、大型ディスプレイ等の広告表示装置に表示する広告を、天気や温度等の環境パラメータに基づいて選択することによって、広告を見る側の環境に連動した広告を表示することにより、広告効果を高める広告情報の供給方法がある（例えば、特許文献２参照。）。
【特許文献１】特願２００１−３５９１６６号公報
【特許文献２】特願２００２−２１５６５６号公報
【発明の開示】
【発明が解決しようとする課題】
【０００４】
しかしながら、特許文献１記載の広告情報の配信方法では、広告配信時刻になると特定エリアに位置し且つ配信予定の広告に興味を示すようなユーザの携帯電話端末に対し、予め設定された広告を配信するものであり、広告に興味を示すユーザが特定エリア内に存在しないときには、配信しないため広告活動をできなかった。また、携帯電話端末に配信するために、配信された携帯電話端末のユーザだけの広告となり、他のユーザに対しての広告効果を期待することができなかった。
【０００５】
また、特許文献２記載の広告情報の供給方法では、天気や温度等の天候パラメータに基づいて広告情報を選択するので、広告の受給者を取り巻く環境に連動した広告を表示することが可能となっているが、広告受給者にとって興味のないカテゴリの広告が表示されることもあった。
【０００６】
本願発明は、係る問題に鑑み、ユーザの嗜好を反映し且つ多くの人に対する広告効果を期待することができる広告表示システムを提供することを目的とする。
【課題を解決するための手段】
【０００７】
本願発明は、前述の課題解決のために、複数のユーザの嗜好に基づき所定の位置に設置されている広告表示装置に広告の表示を行う広告表示システムであって、前記ユーザの嗜好を予め設定されたカテゴリ毎に分類した嗜好情報と、ユーザＩＤとを含む複数の嗜好データを予め記憶する嗜好データ記憶手段と、前記広告表示装置に表示する広告情報と該広告情報に対応させた嗜好条件情報とを含む複数の広告データを予め記憶する広告データ記憶手段と、前記ユーザの位置情報と該ユーザのユーザＩＤとを含む位置データを受信する位置データ受信手段と、前記位置データ受信手段によって受信された位置データを記憶する位置データ記憶手段と、予め設定された領域内のユーザの嗜好情報を選択するための位置領域情報と、前記位置データ記憶手段の位置データとに基づいて、定期的又は指定された時間毎に前記位置領域情報で指定された領域に含まれるユーザを特定するユーザ特定手段と、前記ユーザ特定手段によって特定されたユーザのユーザＩＤと、前記嗜好データ記憶手段に記憶されている嗜好データとに基づいて、前記領域内のユーザの嗜好分布データを演算する嗜好分布演算手段と、前記嗜好分布演算手段によって演算された嗜好分布データと、前記広告データ記憶手段に記憶されている広告データとに基づき、前記嗜好分布情報と前記嗜好条件情報とが一致する広告データを選択する広告データ選択手段と、前記広告データ選択手段によって選択された広告を前記広告表示装置に表示する広告表示手段とをコンピュータに備えることを特徴とするものである。
したがって、複数のユーザの嗜好情報と位置情報とを記憶しておくことにより、所定の領域に存在する嗜好分布情報を得ることができる。そして、嗜好分布情報に従ってユーザの嗜好を反映した広告を選択し、表示することができるようになる。これによって、ユーザは興味のあるカテゴリの広告を得ることができる。また、広告提供者側は、表示する広告に興味のあるユーザに広告を提供することができるので、広告効果を高めることができる。
【０００８】
また、前記広告表示システムは、嗜好情報管理センタに備えられたコンピュータと、広告表示センタに備えられたコンピュータとが通信可能に構成され、前記嗜好情報センタのコンピュータには、前記嗜好データ記憶手段と、前記位置データ受信手段と、前記位置データ記憶手段と、前記ユーザ特定手段と、前記嗜好分布演算手段とを備え、前記広告表示センタのコンピュータには、前記広告データ記憶手段と、前記広告データ選択手段と、前記広告表示手段とを備えてもよい。
【０００９】
前記広告表示センタのコンピュータには、定期的又は指定された時間に、前記位置領域情報を含む嗜好情報要求データを前記嗜好情報管理センタのコンピュータに送信する嗜好情報要求データ送信手段を備え、前記嗜好分布演算手段は、前記嗜好情報要求データ送信手段によって送信された嗜好情報要求データに基づいて嗜好分布データを演算してもよい。
【００１０】
前記広告データ選択手段は、前記嗜好分布データの嗜好比率が所定の比率より高いカテゴリと、前記嗜好条件情報のカテゴリとが一致する広告データを選択してもよい。
【００１１】
前記広告データ選択手段は、前記嗜好分布データの嗜好比率が最も高いカテゴリが、前記嗜好条件情報で指定されたカテゴリに含まれる広告データを選択してもよい。
【００１２】
前記位置データ受信手段は、ユーザが携帯する携帯端末から送信された位置データを受信する、又は、ユーザ識別装置が識別したユーザＩＤと該ユーザ識別装置の位置情報とからなる位置データを受信してもよい。
【発明の効果】
【００１３】
以上にしてなる本願発明に係る広告表示システムは、複数のユーザの嗜好情報と位置情報とに基づいて、所定の領域に存在するユーザの嗜好分布情報を演算し、この嗜好分布情報に従って広告表示装置に表示する広告を選択するので、ユーザの嗜好を反映した広告を広告表示装置に表示することができる。つまり、ユーザにとっては、自身の嗜好情報を登録しておくだけで、自身の嗜好に沿った広告を得る確率を高くすることができる。また、広告配信者側にとっても、表示する広告に興味のあるユーザに対して広告を提供することができるので、広告効果を高めることができる。さらに、広告表示装置に表示される広告は、嗜好情報を登録したユーザ以外にも提供されるので、通常の広告表示装置と同様に、広く一般の人に対する宣伝活動を行うことができる。
【００１４】
さらに、広告表示システムを実行するコンピュータを、嗜好情報管理センタに備えられたコンピュータと、広告表示センタに備えられたコンピュータとによって構成し、嗜好データと位置データとは嗜好情報管理センタのコンピュータが記憶し、嗜好分布データのみを広告表示センタのコンピュータに提供するので、当該センタのセキュリティ（サーバのセキュリティやセンタの入退場等のセキュリティ）を強化するだけで個人情報の保護を行うことができ、同一のセンタで嗜好データと位置データと広告表示装置の管理を行うときに比べて管理がし易く且つ管理に要するコストを低くすることができる。
また、広告表示センタのコンピュータは、個人を特定することができない嗜好分布データを受信するだけなので、嗜好情報管理センタのコンピュータに比べてセキュリティを強化する必要性がなくなる。
【００１５】
また、広告表示センタのコンピュータには、定期的又は指定された時間に、位置情報を含む嗜好情報要求データを送信するので、広告表示するタイミングに合わせて嗜好分布情報を得ることができる。
【００１６】
また、広告データ選択手段は、嗜好分布データの嗜好比率が所定の比率より高いカテゴリと、嗜好条件情報で指定されたカテゴリとが一致する広告データを選択するので、嗜好比率が高い広告データの選択と表示を行うことができ、宣伝効果の高い広告表示を行うことができる。
【００１７】
また、広告データ選択手段は、嗜好比率が最も高いカテゴリが含まれる広告データを選択するので、多くのユーザの嗜好を反映した広告の選択と表示を行うことができ、宣伝効果の高い広告表示を行うことができる。
【００１８】
ユーザが携帯する携帯端末から送信された位置データ、又は、ユーザ識別装置から送信された位置データを受信して位置データ記憶手段に記憶するので、ＧＰＳ機能付携帯端末から送信された位置データや、ＲＦＩＤの読取装置から送信される位置データを使用することができ、ユーザの位置情報を様々な位置から取得することができる。
【発明を実施するための最良の形態】
【００１９】
本願発明に係る広告表示システムの概要は、図１に示すように、街頭等に設置されている広告表示装置Ａに表示する広告を、該広告表示装置Ａの周辺（表示される広告が見える領域）にいるユーザＤ，…，Ｄの嗜好を反映できるようにしたものであり、ユーザの位置情報と、予め記憶しているユーザの嗜好情報とから、広告表示装置Ａの周辺のユーザの嗜好分布を求め、嗜好分布に基づいた内容の広告を表示することで広告効果を高めるものである。
【００２０】
広告表示システム１は、ユーザＤ，…，Ｄが自身の嗜好情報と、ユーザＩＤ（携帯端末Ｔの識別データやＲＦＩＤタグ等に記憶されている識別データ）とを予め嗜好情報管理センタのサーバ（以下、嗜好情報管理サーバと称す。）Ｂに登録し、さらにＧＰＳ機能付の携帯端末Ｔから適宜送信される位置情報とユーザＩＤとを記憶する。そして、広告表示装置Ａに表示する広告を制御する広告表示センタのサーバ（以下、広告表示サーバと称す。）Ｃから嗜好分布データの要求を受信すると、前記嗜好情報管理サーバＢは所定の領域内に存在するユーザの嗜好分布を求め、広告表示サーバＣに送信する。嗜好分布データを受信した広告表示サーバＣは、嗜好分布データに基づき広告を選択し、広告表示装置ＡにユーザＤ，…，Ｄの嗜好を反映した広告を表示するものである。
【００２１】
ユーザＤは、インターネット等を介して自身の嗜好情報とユーザＩＤとが含まれる嗜好データを嗜好情報管理サーバＢに登録する。嗜好データとしては、図３（ａ）に示すように、「ユーザＩＤ」と「嗜好情報」とが対応したデータである。嗜好情報は、嗜好のカテゴリを予め設定しておき、ユーザが興味のあるカテゴリを選択したものを嗜好情報とする。カテゴリとしては、例えば「自動車」、「旅行」、「グルメ」等のカテゴリである。また、これらのカテゴリを階層化（細分化）したカテゴリ（例えば、「自動車」のカテゴリから「４ドア」、「１ＢＯＸ］、「スポーツカー」等）も設けて、ユーザの嗜好を登録する。前記ユーザＩＤは、ユーザＤが携帯する携帯端末Ｔを識別するためのデータであればよく、携帯端末Ｔに設定されているデータ若しくはユーザＤによって設定されたデータである。嗜好情報のデータベースとしては、ＸＭＬデータベースを用いることで、階層化したデータの管理がし易いだけでなく、嗜好のカテゴリを追加、変更等が容易にできるようになる。
なお、図３（ａ）の嗜好データにおいて、空白のセルがあるが、詳細なデータの記載を省略したものであり、データが無い状態を示しているものではない。
【００２２】
ユーザＤが携帯する携帯端末ＴがＧＰＳ機能付の携帯端末であれば、携帯端末Ｔが計測した位置情報と前記ユーザＩＤを含む位置データを前記嗜好情報管理サーバＢに所定の間隔で送信する。また携帯端末ＴがＲＦＩＤ（Radio Frequency Identification）を備えた端末やカード等であれば、ＲＦＩＤの読取装置Ｅが前記嗜好情報管理サーバＢと通信可能となっており、ＲＦＩＤを読み取ったときに、このＲＦＩＤに記憶されているユーザＩＤと、該読取装置Ｅが設置されている位置情報とを嗜好情報管理サーバＢに送信する。
【００２３】
広告表示システム１は、図２に示すように、嗜好情報管理サーバＢと広告表示サーバＣとによって構成されているが、図１に示すように、１つの嗜好情報管理サーバＢが複数の広告表示サーバＣと通信可能となっていてもよいし、複数の嗜好情報管理サーバＢと複数の広告表示サーバＣとが通信可能となっていてもよい。
前記嗜好情報管理サーバＢと前記広告表示サーバＣとを同一のセンタ（会社等）が管理してもよいが、前記嗜好情報管理サーバＢが取り扱う前記嗜好データ及び前記位置データは機密性を要する個人情報であるのでセキュリティを高める必要性があるため、嗜好情報管理サーバＢと広告表示サーバＣとを管理するセンタ（会社）は、異なったセンタ（会社）が管理することが望ましい。このように、機密性を要する嗜好データ及び位置データとを管理するセンタ（サーバ）と、広告表示装置を管理するセンタ（サーバ）とを分離することで、嗜好情報管理サーバＢのセキュリティ（サーバのセキュリティやセンタの入退場等のセキュリティ）を強化するだけで個人情報の保護を行うことができ、同一のセンタ（サーバ）で管理するときに比べて、管理が容易であり、管理に要するコストを低くすることができる。
また、嗜好情報管理サーバＢと広告表示サーバＣとを異なったセンタが管理することで、嗜好情報管理サーバＢが多数の広告表示サーバＣに嗜好分布データを提供することもできる。
【００２４】
前記嗜好情報管理サーバＢには、位置データ受信手段２、位置データ記憶手段３、嗜好データ記憶手段４、ユーザ特定手段５、嗜好分布演算手段６、嗜好情報要求データ受信手段７、嗜好分布データ送信手段８とが備えられている。
また、前記広告表示サーバＣには、嗜好情報要求データ送信手段９、嗜好分布データ受信手段１０、広告データ記憶手段１１、広告データ選択手段１２、広告表示手段１３とが備えられている。
【００２５】
前記位置データ受信手段２は、携帯端末Ｔ等から送信されたユーザの位置情報と該ユーザのユーザＩＤとを含む位置データを受信する手段であり、受信した位置データは、前記位置データ記憶手段３に記憶される。
位置データは、図３（ｃ）に示すように、少なくとも「ユーザＩＤ」、「位置情報」の項目から構成されるデータであり、前記位置データ受信手段２が位置データを受信したときの時間（「取得時間」）を該位置データに追加される。
なお、図３（ｃ）の位置データにおいて、空白のセルがあるが、詳細なデータの記載を省略したものであり、データが無い状態を示しているものではない。
【００２６】
前記嗜好データ記憶手段４は、上述したユーザの嗜好情報と該ユーザのユーザＩＤとを対応させて記憶する手段である。
【００２７】
前記嗜好情報要求データ送信手段９は、前記嗜好情報管理サーバＢに図３（ｄ）に示すような嗜好情報要求データを、定期的又は予め指定された時間に送信する手段である。嗜好情報要求データは、図３（ｄ）に示すように、少なくとも嗜好情報要求データを識別するための問い合わせＩＤと、予め設定された領域内のユーザの嗜好情報を選択するための位置領域情報とによって構成されたデータである。位置情報としては、例えば嗜好分布を求める領域が円形であれば、領域の形状（円形）、円形の中心の緯度経度及び半径の情報から構成され、嗜好分布を求める領域が四角形であれば、領域の形状（四角形）と４つの緯度経度の情報から構成される。
なお、図３（ｄ）の嗜好情報要求データにおいて、空白のセルがあるが、詳細なデータの記載を省略したものであり、データが無い状態を示しているものではない。
【００２８】
前記嗜好情報要求データ受信手段７は、前記嗜好情報要求データ送信手段９から送信された嗜好情報要求データを受信する手段である。
前記ユーザ特定手段５は、前記嗜好情報要求データ受信手段７が嗜好情報要求データを受信すると、この嗜好情報要求データと前記位置データ記憶手段３に記憶されている位置データとに基づいて、嗜好情報要求データで指定されている位置領域に含まれるユーザを特定する手段である。
【００２９】
前記嗜好分布演算手段６は、前記ユーザ特定手段５によって指定された領域に含まれるユーザのユーザＩＤから、対応する嗜好データを選択し、該嗜好データの嗜好情報から嗜好分布データを求めるものである。嗜好分布データとしては、例えば「自動車：６７％，旅行：２８％，グルメ：５０％」等の嗜好のカテゴリ毎の選択した比率のデータや、これらのカテゴリ毎の選択した人数のデータである。なお、「自動車」，「旅行」，「グルメ」等のカテゴリを階層化（細分化）したカテゴリでの嗜好分布を演算してもよい。
【００３０】
前記嗜好分布データ送信手段８は、前記嗜好分布演算手段６によって演算された嗜好分布データを広告表示サーバＣに送信する手段である。嗜好分布データは、図３（ｅ）に示しているようなデータであり、上述した嗜好分布情報及び前記問い合わせＩＤ、嗜好分布を求めたときの情報母数（位置領域情報で指定された領域に含まれたユーザ数）の項目から構成されるデータである。
なお、図３（ｅ）の嗜好分布データにおいて、空白のセルがあるが、詳細なデータの記載を省略したものであり、データが無い状態を示しているものではない。
【００３１】
前記嗜好分布データ受信手段１０は前記嗜好分布データ送信手段８によって送信された嗜好分布データを受信する手段である。
【００３２】
前記広告データ記憶手段１１は、図３（ｂ）に示すように、「広告ＩＤ」、「嗜好条件情報」、「広告コンテンツデータ」、「表示履歴」等の項目から構成されるデータを記憶する手段である。嗜好条件情報は、前記嗜好情報で設定されているカテゴリの中から広告コンテンツ（広告内容）に対応したカテゴリを、広告提供者によって予め選択されたカテゴリの情報である。広告コンテンツデータとは、前記広告表示装置Ａに表示する広告の画像や音声等のコンテンツのデータである。表示履歴は、前記広告表示装置Ａに表示された回数や時間等の情報である。
なお、図３（ｂ）の広告データにおいて、空白のセルがあるが、詳細なデータの記載を省略したものであり、データが無い状態を示しているものではない。
【００３３】
前記広告データ選択手段１２は、前記嗜好分布データの嗜好分布情報と、前記広告データの嗜好条件情報とに基づいて、広告データを選択する手段である。
広告データを選択するときには、前記嗜好分布情報のカテゴリと、前記嗜好条件情報で指定されているカテゴリとが一致する広告データを選択する。または、嗜好分布情報の嗜好比率が所定の比率より高いカテゴリと前記嗜好条件情報で指定されているカテゴリとが一致する広告データを選択するようにしてもよい。また、前記嗜好分布情報の嗜好比率が最も高いカテゴリが、前記嗜好条件情報で指定されたカテゴリに含まれる広告データを選択し、多くのユーザの嗜好を反映した広告を選択することができる。
なお、選択する広告データは１つに限定してもよいが、複数の広告データを選択したときには、それらを順次表示させてもよいし、広告データの表示履歴（表示時間や表示回数）が少ない広告を優先的に表示するようにしてもよい。
【００３４】
前記広告表示手段１３は、前記広告データ選択手段１２によって選択された広告データの広告コンテンツを前記広告表示装置Ａに表示させる手段である。
【００３５】
つぎに、広告表示システム１の処理を図２〜６を用いて説明する。
ユーザが嗜好データを登録するときの処理は、図４に示すように、ユーザが所持する携帯端末Ｔから嗜好情報管理サーバＢにアクセスし、自身の嗜好に合ったカテゴリを単又は複数選択し、選択したカテゴリの情報（嗜好情報）と該携帯端末Ｔの識別情報（ユーザＩＤ）を送信し、嗜好情報管理サーバＢは該嗜好データを受信し（Ｓ１）、嗜好データ記憶手段４に記憶する（Ｓ２）。以上のようにして、各ユーザが嗜好情報を嗜好情報管理サーバＢに登録する。
【００３６】
ユーザが位置データを送信したときの処理は、図５に示すように、携帯端末ＴがＧＰＳ機能付の携帯端末であれば、該携帯端末Ｔによって測定された位置情報と、該携帯端末の識別情報（ユーザＩＤ）とから構成される位置データを、嗜好情報管理サーバＢに送信する。そして、嗜好情報管理サーバＢは位置データを受信し（Ｓ３）、受信した時刻情報を位置データに追加し、位置データ記憶手段３に記憶する（Ｓ４）。なお、携帯端末Ｔは所定の間隔（例えば、１０分間隔）で位置データの送信を繰り返すことで、嗜好情報管理サーバＢに大体の存在位置を知らせるとともに、通信データ量の低減を図ることができる。
【００３７】
つぎに、広告表示サーバＣが広告表示装置Ａにユーザの嗜好を反映した広告を表示するときの処理について図６に基づいて説明する。広告表示サーバＣは、予め設定されたタイミングで自身が制御している広告表示装置Ａの付近の位置領域情報を含めた嗜好情報要求データを嗜好情報管理サーバに送信する（Ｓ５）。嗜好情報管理サーバＢが嗜好情報要求データを受信する（Ｓ６）と、該嗜好情報要求データと前記位置データとから、前記位置領域情報で指定されている領域に含まれる（存在する）ユーザを特定する（Ｓ７）。そして、領域内に存在するユーザが特定されると、このユーザのユーザＩＤと前記嗜好データ記憶手段４に記憶されている嗜好データとから、カテゴリ毎の嗜好分布（嗜好比率）を演算する（Ｓ８）。嗜好分布情報の一例としては、「自動車：６７％」、「旅行：３３％」、「グルメ：５０％」、「（自動車）４ドア：２８％」、「（旅行）国内旅行：３０％」、「（旅行）海外旅行：１２％」等の嗜好比率の情報である。そして、演算された嗜好分布データを前記広告表示サーバＣに送信する（Ｓ９）。広告表示サーバＣが嗜好分布データを受信する（Ｓ１０）と、嗜好分布データの嗜好分布情報と前記広告データの嗜好条件情報とから広告データ記憶手段１１に記憶されている広告データを選択する（Ｓ１１）。上述の一例で挙げた嗜好情報では、「自動車」のカテゴリが６７％と嗜好比率が最も高く、自動車のカテゴリの中でも「４ドア」が２８％の嗜好比率なので、嗜好条件情報として「（自動車）４ドア」のカテゴリを指定している広告データを選択する。また、嗜好分布情報の嗜好比率が５０％以上のカテゴリと、嗜好条件情報で指定しているカテゴリとが一致している広告データを選択してもよい（上述の嗜好分布では、「（自動車）４ドア」と「グルメ」のカテゴリを含む広告データを選択する。）。広告データが選択されると、広告表示装置Ａは選択された広告のコンテンツを表示する（Ｓ１２）。そして、所定の時間（例えば、３０分や１時間）毎に嗜好情報管理サーバＢに嗜好情報要求データを送信する。
【００３８】
このように、広告表示装置Ａの周辺のユーザの嗜好情報に基づいて表示する広告の内容を選択するので、ユーザにとって興味のある広告表示を行うことができ、広告効果を高めることができるようになる。また、街頭等に設置される広告表示装置Ａに広告を表示するので、位置情報を送信していないユーザに対しても広告活動を行うことができる。
【図面の簡単な説明】
【００３９】
【図１】広告表示システムの概略を説明した図である。
【図２】広告表示システムのブロック図である。
【図３】広告表示システムで用いるデータを説明した図である。
【図４】嗜好データの登録の処理を説明した図である。
【図５】位置データを送信したときの処理を説明した図である。
【図６】ユーザの嗜好を反映した広告を表示するときの処理を説明した図である。
【符号の説明】
【００４０】
１  広告表示システム
２  位置データ受信手段
３  位置データ記憶手段
４  嗜好データ記憶手段
５  ユーザ特定手段
６  嗜好分布演算手段
７  嗜好情報要求データ受信手段
８  嗜好分布データ送信手段
９  嗜好情報要求データ送信手段
１０  嗜好分布データ受信手段
１１  広告データ記憶手段
１２  広告データ選択手段
１３  広告表示手段
Ａ  広告表示装置
Ｂ  嗜好情報管理サーバ
Ｃ  広告表示サーバ
Ｄ  ユーザ
Ｅ  読取装置
Ｔ  携帯端末
【図１】
2007102051.tif 000003
【図２】
2007102051.tif 000004
【図３】
2007102051.tif 000005
【図４】
2007102051.tif 000006
【図５】
2007102051.tif 000007
【図６】
2007102051.tif 000008